(57)【要約】      （修正有）【課題】小型電器の充電用で且つ多角度挿着の機能を具える電源アダプターの提供。【解決手段】プラグ部が一つの固定座，当該固定座に相対応するアクティブ・コンセントの一つ，及びアクティブ・コンセントの動きを制限するように用いられるスペーシング部の一つを含む。その中でも、キャビネット上に設置された固定座は、少なくとも二つの固定接触点を設置し、且つそれぞれ回路部分に電気的に接続するが、アクティブ・コンセントが固定座に相対応し、且つ一つの平面で角度を変換でき、アクティブ・コンセントがまだ二つのアクティブ接触点を設置してそれぞれ前述の二つの固定接触点に互いに接触し、且つ又それぞれアクティブ・コンセント上における二つのピンに電気的に接続する。【選択図】図１
0003122666.tif 000002
【実用新案登録請求の範囲】
【請求項１】
多角度挿着型電源アダプターは、一つのキャビネット，一つの回路部分，一つの出力電源コード及び外部電源に挿着されたプラグ部の一つを含むものであって、当該プラグ部は一つの固定座，当該固定座に相対応するアクティブ・コンセントの一つ，及びアクティブ・コンセントの動きを制限するように用いられるスペーシング部の一つを含み、
当該固定座がキャビネット上に設置され且つそれぞれ回路部分に電気的に接続する少なくとも二つの固定接触点をさらに設置し、
当該アクティブ・コンセントが固定座に相対応し且つ一つの平面で角度を変換でき、当該アクティブ・コンセントがそれぞれ前述の二つの固定接触点に互いに接触する二つのアクティブ接触点をさらに設置し、且つ又それぞれアクティブ・コンセント上における二つのピンに電気的に接続することを特徴とする多角度挿着型電源アダプター。
【請求項２】
当該スペーシング部は、軸向スペーシング・メカニズムを一つ含み、当該軸向スペーシング・メカニズムが当該固定座とアクティブ・コンセントとの間に設置されることを特徴とする請求項1記載の多角度挿着型電源アダプター。
【請求項３】
当該スペーシング部は、周向スペーシング・メカニズムを一つ含み、当該周向スペーシング・メカニズムが当該キャビネットとアクティブ・コンセントとの間に設置されることを特徴とする請求項1記載の多角度挿着型電源アダプター。
【請求項４】
当該周向スペーシング・メカニズムは、アクティブ・コンセントの下縁に設置された係止グルーブを一つとキャビネット上に設置された固定係止アームを一つ、含み、当該固定係止アームとキャビネットが弾性的に接続し、当該固定係止アームの上に当該係止グルーブに相対応する係止ブロックがさらに設置され、当該係止ブロックが当該係止グルーブに掛止されることを特徴とする請求項3記載の多角度挿着型電源アダプター。
【請求項５】
当該係止グルーブは、連続な櫛歯形であることを特徴とする請求項4記載の多角度挿着型電源アダプター。
【請求項６】
当該スペーシング部は、周向スペーシング・メカニズムを一つ含み、当該周向スペーシング・メカニズムが当該キャビネットとアクティブ・コンセントとの間に設置されることを特徴とする請求項2記載の多角度挿着型電源アダプター。
【請求項７】
当該周向スペーシング・メカニズムは、アクティブ・コンセントの下縁に設置された係止グルーブを一つとキャビネット上に設置された固定係止アームを一つ、含み、当該固定係止アームとキャビネットが弾性的に接続し、当該固定係止アームの上に当該係止グルーブに相対応する係止ブロックがさらに設置され、当該係止ブロックが当該係止グルーブに掛止されることを特徴とする請求項6記載の多角度挿着型電源アダプター。
【請求項８】
当該係止グルーブは、連続な櫛歯形であることを特徴とする請求項7記載の多角度挿着型電源アダプター。
【請求項９】
当該軸向スペーシング・メカニズムは、少なくとも一つの固定係止部と少なくとも一つのアクティブ当接グルーブとを含み、当該固定係止部が固定座の内側面上に設置され、当該アクティブ当接グルーブが固定座と接触し合うアクティブ・コンセントの外縁に設置され、当該固定係止部が当該アクティブ当接グルーブの内に収容されることを特徴とする請求項1記載の多角度挿着型電源アダプター。
【請求項１０】
当該アクティブ当接グルーブは、下部アパチャーのL型グルーブであることを特徴とする請求項9記載の多角度挿着型電源アダプター。
【請求項１１】
当該固定座の固定接触点は、4個，6個または8個で、且つ円周に沿って均一に分布することを特徴とする請求項1記載の多角度挿着型電源アダプター。
【請求項１２】
当該固定座の二つの固定接触点中におけるその中の一つは、中心の丸いシート又はリングに設置され、そして別の固定接触点が当該固定接触点と異なる径のリングであることを特徴とする請求項1記載の多角度挿着型電源アダプター。
【請求項１３】
当該固定座の二つの固定接触点は、同じ径のアーチ・シートで、且つ円周に沿って対称に分布することを特徴とする請求項1記載の多角度挿着型電源アダプター。
【考案の詳細な説明】
【技術分野】
【０００１】
本考案は、「多角度挿着型電源アダプター」に関し、それが電源変換設備に属し、特に小型電器充電用の電源アダプターの提供を指す。
【背景技術】
【０００２】
従来、小型電器を提供して充電を行なう電源アダプターは、そのピンが何れも固定の方向となり、そして使用過程では、まだ複数個の電器のプラグが常に一つのコンセントの上に挿着される場合が多く、この時に周囲のプラグの影響のために、ある電器のプラグは、十分な挿着可能な空間を具えず、挿着使用不可を招き、そして使用上では不便な困難がある。さらに、このような電源アダプターのピンは、まだ異なる地域により異なる挿着タイプ（例えば二つの平行なシート状のピン，二つの不平行なシート状のピンまたは二つの円柱状のピン等）があり、このように異なる地域では異なる挿着タイプを具える状況に対し、このような電源アダプターが適用性差異の問題に面する。
【０００３】
従って、どのように前述の諸問題を克服できる電源アダプターを設計するかは、本考案の創作者の克服し且つ解決しようとする重大な課題である。
【考案の開示】
【考案が解決しようとする課題】
【０００４】
本考案の「多角度挿着型電源アダプター」は、一方ではアクティブ・タイプ・プラグ部を採用し、これにより、プラグ部の挿着角度を変換し、従来の技術における挿着空間の制限を受けることにより使用に影響する技術の問題を、解決する。
【０００５】
本考案の「多角度挿着型電源アダプター」は、他方では着脱自在(detachable separate)技術をさらに採用して当該アクティブ・タイプ・プラグ部に応用でき、これにより、ひいては従来の技術における電源アダプターの適用性差異の技術問題を解決する。
【０００６】
本考案の「多角度挿着型電源アダプター」は、他方では軸向と周向スペーシングの技術をさらに採用でき、これにより、当該アクティブ・タイプ・プラグ部の緩みと位置異常(malposition)の技術問題を解決する。
【課題を解決するための手段】
【０００７】
前述の諸問題を解決するために、本考案は、多角度挿着型電源アダプターを提供し、一つのキャビネット，一つの回路部分，一つの出力電源コード及び外部電源に挿着されたプラグ部の一つを含むものであって、当該プラグ部は一つの固定座，当該固定座に相対応するアクティブ・コンセントの一つ及びアクティブ・コンセントの動きを制限するように用いられるスペーシング部の一つを含み、当該固定座がキャビネット上に設置され且つそれぞれ回路部分に電気的に接続する少なくとも二つの固定接触点をさらに設置し、当該アクティブ・コンセントが固定座に相対応し且つ一つの平面で角度を変換でき、当該アクティブ・コンセントがそれぞれ前述の二つの固定接触点に互いに接触する二つのアクティブ接触点をさらに設置し、且つ又それぞれアクティブ・コンセント上における二つのピンに電気的に接続することを特徴とする。
【０００８】
従って、プラグの縦向き空間が制限を受けて電源アダプターに適用できないと、ピンはある角度、例えば横向き挿着または斜向挿着などを変換でき、これにより当該電源アダプターの使用を保証する。
【０００９】
さらに、当該スペーシング部は、固定座とアクティブ・コンセントとの間に設置された軸向スペーシング・メカニズムを含み、当該スペーシング部は、キャビネットとアクティブ・コンセントとの間に設置された周向スペーシング・メカニズムを含む。当該軸向スペーシング・メカニズムと周向スペーシング・メカニズムを利用することにより、当該アクティブ・コンセントは軸向と周向に位置決めることが出来、これにより緩みと位置異常を防止する。
【００１０】
またさらに、当該掛止タイプの可能な軸向スペーシング・メカニズムは、一つの固定係止部とアクティブ当接グルーブとを含み、固定係止部が固定座の内側面上に設置され、アクティブ当接グルーブが固定座と接触し合うアクティブ・コンセントの外縁に設置されることにより、当該固定係止部がアクティブ当接グルーブの内に収容できる。このような掛止タイプの軸向スペーシング・メカニズム等は、着脱自在に寄与するため、当地の挿着タイプに合致するピンを設け変えることが出来、そして電源アダプターを各地域に使用できることを保証する。
【考案を実施するための最良の形態】
【００１１】
本考案の特徴および技術内容をより了解できるために、以下の本考案に関する詳細な説明および添付の図面を参照する。
【００１２】
図1〜図7に示すように参照し、本考案は多角度挿着型電源アダプターを提供し、当該電源アダプターが電源アダプターのキャビネット1，回路部分2，出力電源コード3及び外部電源に挿着されたプラグ部4を含む。
【００１３】
当該プラグ部4は一つの固定座41と一つのアクティブ・コンセント42を含む。その中でも、当該固定座41がキャビネット1上に設置され、当該アクティブ・コンセント42が当該固定座41に相対応し、且つこれにより一つの平面で角度を変換でき、当該固定座41には少なくとも二つの固定接触点411，412がさらに設置され、当該二つの固定接触点411，412がそれぞれ回路部分2に電気的に接続する。当該アクティブ・コンセント42には二つのアクティブ接触点421，422が設置され、当該二つのアクティブ接触点421，422がそれぞれ前述の二つの固定接触点411，412と接触し合い、且つ又それぞれアクティブ・コンセント42上における二つのピン423，424に電気的に接続する。また、当該プラグ部4の中にアクティブ・コンセント42の動きを制限できるスペーシング部5がさらに含まれる。
【００１４】
電源アダプターの挿着に供するように用いられるコンセントは、その縦向き空間が制限を受けて電源アダプターに使用できないと、ピンをある角度、例えば横向き挿着または斜向挿着に変換でき、そして当該電源アダプターの使用を保証できる。さらに当該スペーシング部5は、当該アクティブ・コンセント42を固定する作用を生成でき、そしてアクティブ・コンセント42の緩みまたは位置異常を防止する。
【００１５】
図1〜図3に示すように参照し、当該スペーシング部5は、一つの軸向スペーシング・メカニズム51又は一つの周向スペーシング・メカニズム52を含み、或いは当該軸向スペーシング・メカニズムと周向スペーシング・メカニズム51，52を同時に含む。
【００１６】
図1，図2に示すように参照し、当該軸向スペーシング・メカニズム51は、固定座41とアクティブ・コンセント42との間に設置され、そしてアクティブ・コンセント42と固定座41とを軸向に位置決めるように用いられ、これによりアクティブ・コンセント42の軸向外れを防止する。
【００１７】
図1，図3に示すように参照し、当該周向スペーシング・メカニズム52は、キャビネット1とアクティブ・コンセント42との間に設置され、そしてアクティブ・コンセント42とキャビネット1とを周向に位置決めるように用いられ、これによりアクティブ・コンセント42の周向の位置異常(surrounding malposition)を防止する。
【００１８】
図2に示すように参照し、当該軸向スペーシング・メカニズム51の具体的な構成設計は、多種類の方式ができ、上記にその中の一種の方式のみについて紹介し、当該掛止タイプの軸向スペーシング・メカニズム51は、固定係止部511とアクティブ当接グルーブ512とを含み、当該固定係止部511が固定座41の内側面上に設置され、固定係止部511を収容するように用いられる当該アクティブ当接グルーブ512については、固定座41と接触し合うアクティブ・コンセント42の外縁に設置される。アクティブ・コンセント42を固定座41の中に仕込む時に、固定係止部511がアクティブ当接グルーブ512の内に係止され、そして固定座41がキャビネット1上に固定され、従ってアクティブ・コンセント42も軸向の位置決めを取得することにより、緩み又は突き出しの恐れがない。
【００１９】
再び図2に示すように参照し、当接グルーブ512の形状設計について、多種類の方案もでき、着脱自在に寄与する角度から言えば、当該アクティブ当接グルーブ512が下部アパチャーのL型グルーブである方案は、より適当で、加工にも寄与する。アクティブ・コンセント42を固定座41の中に仕込む時に、固定係止部511はL型アクティブ当接グルーブ512の下部アパチャー部からアクティブ当接グルーブ512の縦向きグルーブの内に係止され、L型アクティブ当接グルーブ512の横向きグルーブの位置に到達する時に、アクティブ・コンセント42を回転することにより、固定係止部511がL型アクティブ当接グルーブ512の横向きグルーブの内に入り、そしてアクティブ・コンセント42を軸向に位置決める。従ってユーザーは、異なる地域に位置して異なる挿着タイプのコンセントに面する時に、当地の挿着タイプに合致するピンに取り替えることが出来るため、適用性差異の問題を簡単に解決する。
【００２０】
図3に示すように参照し、前述の軸向スペーシング・メカニズム51と同様に、当該周向スペーシング・メカニズム52も同様に多種類の設計方案ができ、ここに一例のみを挙げてより説明するが、当該周向スペーシング・メカニズム52が係止グルーブ521と固定係止アーム522を含み、係止グルーブ521がアクティブ・コンセント42の下縁に設置され、固定係止アーム522がキャビネット1上に設置され、且つ当該固定係止アーム522とキャビネット1が弾性的に接続し、また当該固定係止アーム522の上における係止グルーブ521に相対応する位置には盛り上がる係止ブロック523がさらに設置される。アクティブ・コンセント42をセットして所定の位置に到達した後に、固定係止アーム522は、その弾性により係止ブロック523をアクティブ・コンセント42の下縁の係止グルーブ521内に係止し、これにより、アクティブ・コンセント42が周向に位置決められ、回転できない。アクティブ・コンセント42を取り除く必要がある時に、固定係止アーム522を押えつけることにより、係止ブロック523が係止グルーブ521内より脱出し、周向スペーシング機能が消失し、これによりアクティブ・コンセント42は自由に回転して取り除くことが出来る。このような設計方案は単独に使用でき、或いは前述の軸向スペーシング・メカニズム51に対応して使用できる。
【００２１】
図4に示すように参照し、回転を行なって角度を変換するアクティブ・コンセント42について、当該係止グルーブ521が連続な櫛歯形であるため、複数個の箇所では係止ブロック523を係止グルーブ521内に係止できることを保証することが可能で、そしてその周向スペーシング機能を発揮する。
【００２２】
その他に、異なる状況及び電気製品の安全規格の要求に準拠し、当該固定座41の固定接触点は、4個，6個または8個に設計でき、且つ円周に沿って均一に分布し、これによりアクティブ・コンセント42の二つのアクティブ接触点421，422は複数個の箇所上では固定接触点411，412との点接続を完成できる。
【００２３】
そして、回転を採用してピンの角度を連続的に変換する電源アダプターについて、前述の固定接触点411，412は、点接触してオンするタイプに設計できず、そしてベルト状に設計される必要があるが、図5，図6に示すように参照し、固定座41の固定接触点412が中心に設計された丸いシート又はリングで、固定接触点411と固定接触点412が異なる径のリングである。
【００２４】
或いは例えば図7にも示すように、固定座41の固定接触点411，412が同じ径のアーチ・シートで、且つ円周に沿って対称に分布する。
【００２５】
上記を総合し、本考案の提供する多角度挿着型電源アダプターは、確かに前述の従来技術の欠点を解決でき、高度な実用価値を具える実用新案の考案の製品に属し、効果上では増進する進歩性を具え、実用新案登録の要件に適合する。
【００２６】
以上の叙述は、ただ本考案のより好ましい実行可能な実施例のみであるが、これにより本考案の実用新案登録請求の範囲を限定するものではなく、例えば本考案の明細書および図面内容の運用による等価な変更の全てがいずれも同義的に本考案の登録請求の範囲の内に含まれるものである。
【図面の簡単な説明】
【００２７】
【図１】本考案の電源アダプターの斜視分解模式図である。
【図２】本考案の電源アダプターが図1中における軸向スペーシング・メカニズムに準拠して組み合わせられた後の部分断面模式図である。
【図３】本考案の電源アダプターが図1中における周向スペーシング・メカニズムに準拠して組み合わせられた後の部分断面模式図である。
【図４】本考案の電源アダプター中におけるプラグ部が連続な櫛歯形係止グルーブを採用する斜視模式図である。
【図５】本考案の電源アダプター中におけるプラグ部がリング状の固定接触点を採用する斜視模式図である。
【図６】本考案の電源アダプター中におけるプラグ部が丸いシートを採用してリング状の固定接触点に対応する斜視模式図である。
【図７】本考案の電源アダプター中におけるプラグ部がアーチ形の固定接触点を採用する斜視模式図である。
【符号の説明】
【００２８】
1  キャビネット
2  回路部分
3  出力電源コード
4  プラグ部
5  スペーシング部
41  固定座 
42  アクティブ・コンセント
51  軸向スペーシング・メカニズム
52  周向スペーシング・メカニズム
411  固定接触点
412  固定接触点
421  アクティブ接触点
422  アクティブ接触点
423  ピン
424  ピン
511  固定係止部
512  アクティブ当接グルーブ
521  係止グルーブ
522  固定係止アーム
523  係止ブロック
【図１】
0003122666.tif 000003
【図２】
0003122666.tif 000004
【図３】
0003122666.tif 000005
【図４】
0003122666.tif 000006
【図５】
0003122666.tif 000007
【図６】
0003122666.tif 000008
【図７】
0003122666.tif 000009